【手続補正書】
【提出日】平成26年7月1日(2014.7.1)
【手続補正１】
【補正対象書類名】特許請求の範囲
【補正対象項目名】全文
【補正方法】変更
【補正の内容】
【特許請求の範囲】
【請求項１】
ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状非架橋ポリマーを含む、アクリルポリマーブレンドであって、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸、もしくはマレイン酸、またはこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）
によって表されるモノマーから選択される少なくとも１種のα，β−エチレン性不飽和モノマー
から選択されるモノマーから重合され、
ＩＩ）前記架橋ポリマーが、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸、もしくはマレイン酸、またはこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、ポリマーブレンド。
【請求項２】
Ａ）アニオン性界面活性剤、双性イオン性界面活性剤もしくは両性界面活性剤、カチオン性界面活性剤、または非イオン性界面活性剤、およびこれらの組合せから選択される少なくとも１種の界面活性剤と、
Ｂ）ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状非架橋ポリマーを含む少なくとも１種のアクリルポリマーブレンドと、
Ｃ）水と
を含む界面活性剤組成物であって、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸、もしくはマレイン酸およびこれらの塩、ならびにこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）
によって表されるモノマーから選択される少なくとも１種のα，β−エチレン性不飽和モノマー
から選択されるモノマーから重合され、
ＩＩ）前記架橋ポリマーが、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、界面活性剤組成物。
【請求項３】
前記組成物のｐＨが、約０．５〜約１４の範囲である、請求項２に記載の界面活性剤組成物。
【請求項４】
前記組成物のｐＨが、約２〜約７の範囲である、請求項２に記載の界面活性剤組成物。
【請求項５】
前記組成物のｐＨが、約３〜約６の範囲である、請求項２に記載の界面活性剤組成物。
【請求項６】
Ａ）アニオン性界面活性剤および双性イオン性界面活性剤または両性界面活性剤、ならびにこれらの組合せから選択される少なくとも１種の界面活性剤と、
Ｂ）ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状非架橋ポリマーを含む少なくとも１種のアクリル系ポリマーブレンドと、
Ｃ）少なくとも１種の酸系保存剤と、
Ｄ）水と
を含む、パーソナルケアクレンジング組成物であって、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸、マレイン酸、およびこれらの塩、ならびにこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）；
によって表されるモノマーから選択される少なくとも１種のα，β−エチレン性不飽和モノマー：
から選択されるモノマーから重合され、
ＩＩ）前記架橋ポリマーが、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、パーソナルケアクレンジング組成物。
【請求項７】
少なくとも１種のアルカリ度調整剤、少なくとも１種の酸性度調整剤、およびこれらの組合せから選択されるｐＨ調整剤をさらに含む、請求項６に記載のパーソナルケアクレンジング組成物。
【請求項８】
前記組成物のｐＨが、約０．５〜約６の範囲である、請求項７に記載のクレンジング組成物。
【請求項９】
前記組成物のｐＨが、約２〜約５．５の範囲である、請求項７に記載のクレンジング組成物。
【請求項１０】
前記組成物のｐＨが、約３〜約５の範囲である、請求項７に記載のクレンジング組成物。
【請求項１１】
パーソナルケア組成物であって、
Ａ）ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状非架橋ポリマーを含む、少なくとも１種のアクリル系ポリマーブレンドであって、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）；
によって表されるモノマーから選択される少なくとも１種のα，β−エチレン性不飽和モノマー
から選択されるモノマーから重合され、
ＩＩ）前記架橋ポリマーが、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸、マレイン酸、およびこれらの塩、ならびにこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、少なくとも１種のアクリル系ポリマーブレンドと、
Ｂ）界面活性剤、毛髪および皮膚のコンディショニング剤、エモリエント剤、乳化剤、補助レオロジー調節剤、粘度増加剤、ビタミン、発毛促進剤、セルフタンニング剤、サンスクリーン、皮膚美白剤、抗加齢化合物、抗しわ化合物、抗セルライト化合物、抗ざ瘡化合物、抗フケ剤、抗炎症性化合物、鎮痛剤、制汗剤、脱臭剤、毛髪固定剤、微粒子、研磨剤、モイスチャーライザー、抗酸化剤、角質溶解剤、帯電防止剤、気泡増強剤、ヒドロトロープ、可溶化剤、キレート剤、抗菌剤、抗真菌剤、ｐＨ調整剤、キレート剤、緩衝剤、植物性薬品、毛髪着色剤、酸化剤、還元剤、不溶性成分、熱変色色素、毛髪および皮膚のブリーチ剤、噴射剤、顔料、う食予防剤、抗歯石剤、抗プラーク剤、溶剤、保存剤；ならびにこれらの組合せから選択される少なくとも１種の成分と、
Ｃ）水と
を含む、パーソナルケア組成物。
【請求項１２】
アクリル系ポリマーブレンドを作製する方法であって、
Ｉ）架橋用モノマーの非存在下でモノマー組成物を重合し、線状非架橋ポリマーを得るステップであって、前記モノマー組成物が、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）
によって表されるモノマーから選択される少なくとも１種のα，β−エチレン性不飽和モノマー
を含むステップと、
ＩＩ）架橋用モノマーの存在下でモノマー組成物を重合し、架橋ポリマーを得るステップであって、前記モノマー組成物が、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
を含むステップと、
ＩＩＩ）ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状ポリマーの範囲のブレンド比で、ステップＩ）およびＩＩ）において調製した前記アクリルポリマーをブレンドするステップと
を含む、方法。
【請求項１３】
ステップＩ）における前記モノマー組成物が、エトキシ化Ｃ１０〜Ｃ２２脂肪アルコールから選択される補助乳化剤を含む、請求項１２に記載の方法。
【請求項１４】
ステップＩＩ）における前記モノマー組成物が、エトキシ化Ｃ１０〜Ｃ２２脂肪アルコールから選択される補助乳化剤を含む、請求項１２に記載の方法。
【請求項１５】
アクリルポリマーブレンドを含む水性組成物を増粘させる方法であって、前記水性組成物に、酸性材料、アルカリ性材料、およびこれらの混合物から選択されるｐＨ調整剤を加えるステップを含み、前記アクリルポリマーブレンドが、前記ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状非架橋ポリマーを含み、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）
によって表されるモノマーから選択される少なくとも１種のα，β−エチレン性不飽和モノマー
から選択されるモノマーから重合され、
ＩＩ）前記架橋ポリマーが、
ａ１）約１０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸、マレイン酸、およびこれらの塩、ならびにこれらの組合せを含む少なくとも１種のカルボン酸モノマー；
ｂ１）約９０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、方法。
【請求項１６】
前記水性組成物が、界面活性剤を含む、請求項１５に記載の方法。
【請求項１７】
前記界面活性剤が、アニオン性界面活性剤、両性界面活性剤、非イオン性界面活性剤、カチオン性界面活性剤、およびこれらの混合物から選択される、請求項１６に記載の方法。
【請求項１８】
前記界面活性剤が、少なくとも１種のアニオン性界面活性剤、少なくとも１種の両性界面活性剤、およびこれらの混合物から選択される、請求項１６に記載の方法。
【請求項１９】
アルカリ性ｐＨ調整剤が、前記組成物に加えられる、請求項１６、１７、または１８に記載の方法。
【請求項２０】
酸性ｐＨ調整剤が、前記組成物に加えられる、請求項１６、１７、または１８に記載の方法。
【請求項２１】
アルカリ性調整剤および酸性ｐＨ調整剤が、前記組成物に加えられる、請求項１６、１７、または１８に記載の方法。
【請求項２２】
前記酸性ｐＨ調整剤が加えられる前に、前記アルカリ性ｐＨ調整剤が、前記組成物に加えられる、請求項２１に記載の方法。
【請求項２３】
前記組成物のｐＨが、前記アルカリ性ｐＨ調整剤で、前記組成物の最初のｐＨより約０．５〜約２のｐＨ単位超に調整され、続いて前記酸性ｐＨ調整剤を十分な量で加えることによって前記組成物のアルカリ性に調整されたｐＨを低下させ、約３．５〜約５．５の範囲の最終ｐＨ値を得る、請求項２２に記載の方法。
【手続補正２】
【補正対象書類名】明細書
【補正対象項目名】００２１
【補正方法】変更
【補正の内容】
【００２１】
これらの安定な組成物は、少なくとも１カ月などの長期間にわたり４５℃にて、粘度の有意な増加または減少を伴わずに、分離、沈下、またはクリーム化または透明度の喪失なしに、滑らかな許容されるレオロジーを維持することができる。
一実施形態において、例えば、以下の項目が提供される。
（項目１）
ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状ポリマーを含む、アクリルポリマーブレンドであって、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸、もしくはマレイン酸、またはこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）
によって表されるモノマーから選択される少なくとも１種のα，β−エチレン性不飽和モノマー
から選択されるモノマーから重合され、
ＩＩ）前記架橋ポリマーが、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸、もしくはマレイン酸、またはこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、ポリマーブレンド。
（項目２）
Ａ）アニオン性界面活性剤、双性イオン性界面活性剤もしくは両性界面活性剤、カチオン性界面活性剤、または非イオン性界面活性剤、およびこれらの組合せから選択される少なくとも１種の界面活性剤と、
Ｂ）ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状ポリマーを含む少なくとも１種のアクリルポリマーブレンドと、
Ｃ）水と
を含む界面活性剤組成物であって、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸、もしくはマレイン酸ならびにこれらの塩、またはこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）
によって表されるモノマーから選択される少なくとも１種のα，β−エチレン性不飽和モノマー
から選択されるモノマーから重合され、
ＩＩ）前記架橋ポリマーが、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、界面活性剤組成物。
（項目３）
前記組成物のｐＨが、約０．５〜約１４の範囲である、項目２に記載の界面活性剤組成物。
（項目４）
前記組成物のｐＨが、約２〜約７の範囲である、項目２に記載の界面活性剤組成物。
（項目５）
前記組成物のｐＨが、約３〜約６の範囲である、項目２に記載の界面活性剤組成物。
（項目６）
Ａ）アニオン性界面活性剤および双性イオン性界面活性剤または両性界面活性剤、ならびにこれらの組合せから選択される少なくとも１種の界面活性剤と、
Ｂ）ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状ポリマーを含む少なくとも１種のアクリル系ポリマーブレンドと、
Ｃ）少なくとも１種の酸系保存剤と、
Ｄ）水と
を含む、パーソナルケアクレンジング組成物であって、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸、マレイン酸、およびこれらの塩、ならびにこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）；
によって表されるモノマーから選択される少なくとも１種のα，β−エチレン性不飽和モノマー：
から選択されるモノマーから重合され、
ＩＩ）前記架橋ポリマーが、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、パーソナルケアクレンジング組成物。
（項目７）
少なくとも１種のアルカリ度調整剤、少なくとも１種の酸性度調整剤、およびこれらの組合せから選択されるｐＨ調整剤をさらに含む、項目６に記載のパーソナルケアクレンジング組成物。
（項目８）
前記組成物のｐＨが、約０．５〜約６の範囲である、項目７に記載のクレンジング組成物。
（項目９）
前記組成物のｐＨが、約２〜約５．５の範囲である、項目７に記載のクレンジング組成物。
（項目１０）
前記組成物のｐＨが、約３〜約５の範囲である、項目７に記載のクレンジング組成物。
（項目１１）
パーソナルケア組成物であって、
Ａ）ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状ポリマーを含む、少なくとも１種のアクリル系ポリマーブレンドであって、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）；
によって表されるモノマーから選択される少なくとも１種のα，β−エチレン性不飽和モノマー
から選択されるモノマーから重合され、
ＩＩ）前記架橋ポリマーが、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸、マレイン酸、およびこれらの塩、ならびにこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、少なくとも１種のアクリル系ポリマーブレンドと、
Ｂ）界面活性剤、毛髪および皮膚のコンディショニング剤、エモリエント剤、乳化剤、補助レオロジー調節剤、粘度増加剤、ビタミン、発毛促進剤、セルフタンニング剤、サンスクリーン、皮膚美白剤、抗加齢化合物、抗しわ化合物、抗セルライト化合物、抗ざ瘡化合物、抗フケ剤、抗炎症性化合物、鎮痛剤、制汗剤、脱臭剤、毛髪固定剤、微粒子、研磨剤、モイスチャーライザー、抗酸化剤、角質溶解剤、帯電防止剤、気泡増強剤、ヒドロトロープ、可溶化剤、キレート剤、抗菌剤、抗真菌剤、ｐＨ調整剤、キレート剤、緩衝剤、植物性薬品、毛髪着色剤、酸化剤、還元剤、不溶性成分、熱変色色素、毛髪および皮膚のブリーチ剤、噴射剤、顔料、う食予防剤、抗歯石剤、抗プラーク剤、溶剤、保存剤；ならびにこれらの組合せから選択される少なくとも１種の成分と、
Ｃ）水と
を含む、パーソナルケア組成物。
（項目１２）
アクリル系ポリマーブレンドを作製する方法であって、
Ｉ）架橋用モノマーの非存在下でモノマー組成物を重合し、線状ポリマーを得るステップであって、前記モノマー組成物が、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）
によって表されるモノマーから選択される少なくとも１種のα，β−エチレン性不飽和モノマー
を含むステップと、
ＩＩ）架橋用モノマーの存在下でモノマー組成物を重合し、架橋ポリマーを得るステップであって、前記モノマー組成物が、
ａ１）約２０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ１）約８０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
を含むステップと、
ＩＩＩ）ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状ポリマーの範囲のブレンド比で、ステップＩ）およびＩＩ）において調製した前記アクリルポリマーをブレンドするステップと
を含む、方法。
（項目１３）
ステップＩ）における前記モノマー組成物が、エトキシ化Ｃ１０〜Ｃ２２脂肪アルコールから選択される補助乳化剤を含む、項目１２に記載の方法。
（項目１４）
ステップＩＩ）における前記モノマー組成物が、エトキシ化Ｃ１０〜Ｃ２２脂肪アルコールから選択される補助乳化剤を含む、項目１２に記載の方法。
（項目１５）
アクリルポリマーブレンドを含む水性組成物を増粘させる方法であって、前記水性組成物に、酸性材料、アルカリ性材料、およびこれらの混合物から選択されるｐＨ調整剤を加えるステップを含み、前記アクリルポリマーブレンドが、前記ブレンド中の活性ポリマー固体の全重量に基づいて、約２０重量％〜約９５重量％の少なくとも１種の架橋アクリルコポリマーおよび約８０重量％〜約５重量％の少なくとも１種のアクリル線状ポリマーを含み、
Ｉ）前記線状ポリマーが、
ａ）約１０重量％〜約９０重量％の少なくとも１種のカルボン酸モノマーであって、該少なくとも１種のカルボン酸モノマーは、アクリル酸、メタクリル酸、イタコン酸、フマル酸、クロトン酸、アコニット酸またはマレイン酸、およびこれらの塩、ならびにこれらの組合せを含む少なくとも１種のカルボン酸モノマー；
ｂ）約９０重量％〜約２０重量％の、アクリル酸またはメタクリル酸の、少なくとも１種のＣ１〜Ｃ５アルキルエステルおよび／または少なくとも１種のＣ１〜Ｃ５ヒドロキシアルキルエステル；ならびに任意選択で
ｃ）約１重量％〜約３５重量％の少なくとも１種のα，β−エチレン性不飽和モノマーであって、該少なくとも１種のα，β−エチレン性不飽和モノマーは、式
ｉ）ＣＨ２＝Ｃ（Ｒ）Ｃ（Ｏ）ＯＲ１
（式中、Ｒは、水素またはメチルから選択され、Ｒ１は、Ｃ６〜Ｃ１０アルキル、Ｃ６〜Ｃ１０ヒドロキシアルキル、−（ＣＨ２）２ＯＣＨ２ＣＨ３、および−（ＣＨ２）２Ｃ（Ｏ）ＯＨならびにこれらの塩から選択される）；
ｉｉ）ＣＨ２＝Ｃ（Ｒ）Ｘ
（式中、Ｒは、水素またはメチルであり、Ｘは、−Ｃ６Ｈ５、−ＣＮ、−Ｃ（Ｏ）ＮＨ２、−ＮＣ４Ｈ６Ｏ、−Ｃ（Ｏ）ＮＨＣ（ＣＨ３）３、−Ｃ（Ｏ）Ｎ（ＣＨ３）２、−Ｃ（Ｏ）ＮＨＣ（ＣＨ３）２（ＣＨ２）４ＣＨ３、および−Ｃ（Ｏ）ＮＨＣ（ＣＨ３）２ＣＨ２Ｓ（Ｏ）（Ｏ）ＯＨならびにこれらの塩から選択される）；
ｉｉｉ）ＣＨ２＝ＣＨＯＣ（Ｏ）Ｒ１
（式中、Ｒ１は、線状または分岐状のＣ１〜Ｃ１８アルキルである）；ならびに
ｉｖ）ＣＨ２＝Ｃ（Ｒ）Ｃ（Ｏ）ＯＡＯＲ２
（式中、Ａは、−ＣＨ２ＣＨ（ＯＨ）ＣＨ２−および−ＣＨ２ＣＨ（ＣＨ２ＯＨ）−から選択される二価の基であり、Ｒは、水素またはメチルから選択され、Ｒ２は、線状または分岐状の、飽和または不飽和のＣ１０〜Ｃ２２脂肪酸のアシル残基である）
によって表されるモノマーから選択される少なくとも１種のα，β−エチレン性不飽和モノマー
から選択されるモノマーから重合され、
ＩＩ）前記架橋ポリマーが、
ａ１）約１０重量％〜約８０重量％の少なくとも１種のカルボン酸モノマーであって、該少なくとも１種のカルボン酸モノマーは、アクリル酸、メタクリル酸、イタコン酸、フマル酸、クロトン酸、アコニット酸、マレイン酸、およびこれらの塩、ならびにこれらの組合せを含む少なくとも１種のカルボン酸モノマー；
ｂ１）約９０重量％〜約１５重量％の、アクリル酸またはメタクリル酸の、少なくとも１種のＣ１〜Ｃ５アルキルエステルおよび／または少なくとも１種のＣ１〜Ｃ５ヒドロキシアルキルエステル；
ｃ１）約０．０１重量％〜約５重量％の、少なくとも１種の架橋用モノマー；ならびに任意選択で
ｄ１）約１重量％〜約３５重量％の、上記の式ｉ）〜ｉｖ）から選択される少なくとも１種のα，β−エチレン性不飽和モノマー
から選択されるモノマーから重合される、方法。
（項目１６）
前記水性組成物が、界面活性剤を含む、項目１５に記載の方法。
（項目１７）
前記界面活性剤が、アニオン性界面活性剤、両性界面活性剤、非イオン性界面活性剤、カチオン性界面活性剤、およびこれらの混合物から選択される、項目１６に記載の方法。
（項目１８）
前記界面活性剤が、少なくとも１種のアニオン性界面活性剤、少なくとも１種の両性界面活性剤、およびこれらの混合物から選択される、項目１６に記載の方法。
（項目１９）
アルカリ性ｐＨ調整剤が、前記組成物に加えられる、項目１６、１７、または１８に記載の方法。
（項目２０）
酸性ｐＨ調整剤が、前記組成物に加えられる、項目１６、１７、または１８に記載の方法。
（項目２１）
アルカリ性調整剤および酸性ｐＨ調整剤が、前記組成物に加えられる、項目１６、１７、または１８に記載の方法。
（項目２２）
前記酸性ｐＨ調整剤が加えられる前に、前記アルカリ性ｐＨ調整剤が、前記組成物に加えられる、項目２１に記載の方法。
（項目２３）
前記組成物のｐＨが、前記アルカリ性ｐＨ調整剤で、前記組成物の最初のｐＨより約０．５〜約２のｐＨ単位超に調整され、続いて前記酸性ｐＨ調整剤を十分な量で加えることによって前記組成物のアルカリ性に調整されたｐＨを低下させ、約３．５〜約５．５の範囲の最終ｐＨ値を得る、項目２２に記載の方法。